(57)【要約】【課題】間伐材の有効利用が図れるだけでなく、壁構造の耐震強度を大幅に向上させることができ、しかも現場での壁構築を能率よく行うことができる壁用パネルを提供する。【解決手段】所定の長さに切断した多数の木製角材８を順次重ね合わせ、各木製角材８をボルト９で結合して矩形のパネル体３を組み立て、両側に配置した柱材２間に前記パネル体３とその上下に横材４を組み込み、柱材２とパネル体３及び横材４の重なり面を、この重なり面に形成した溝に雇い実を差し込んで結合し、両側の柱材２を開き止めボルト５で結合してパネル本体１２を形成し、両柱材２の上下が、柱材２間の上下に配置する土台６及び桁材７とボルトで結合するようになっている。【選択図】図２
2006057278.tif 000002
【特許請求の範囲】
【請求項１】
所定の長さに切断した多数の木製角材を順次重ね合わせると共に、各木製角材をボルトの締め付けで締結して矩形のパネル体を組み立て、両側に配置した柱材間に前記パネル体とその上下に横材を組み込み、前記パネル体と柱材及び横材の重なり面を、各重なり面に形成した溝に雇い実を差し込んで結合すると共に、両側の柱材を開き止めボルトで固定化することにより矩形のパネル本体を組み立て、両柱材の上下が、柱材間の上下に配置した土台及び桁材とボルト結合するようになっている壁用パネル。
【発明の詳細な説明】
【技術分野】
【０００１】
この発明は、木造建築の壁を構築するために用いる壁用パネル、更に詳しくは、間伐材の特に小径木や短尺材を有効に利用することができる壁用パネルに関する。
【背景技術】
【０００２】
一般的な木造建築は、地面に設けた基礎上に土台を載置固定し、この土台のコーナ部分に建込んだ隅柱の上端間に桁を設け、土台と桁の間に通し柱や間柱を建てこみ、これら各柱材間に筋交い等を施した状態で、各柱材間の両面に壁板を張設することにより、壁構造を構築し、この壁構造の上に屋根となる小屋組みを設けるものである。
【０００３】
ところで、従来の木造建築は、基本的に壁構造が耐震強度を担うことになるが、隅柱と通し柱や間柱及び各柱材間に設けた筋交いだけでは強度の向上に限界があり、実際に地震を受けた木造建築が隅柱の倒れによって倒壊しているのが現状である。
【０００４】
また、国内における近年の林業の状況における間伐材の処理については、木材の需要減少や人手不足のほか、用途の開発が遅れているので、伐採してそのまま放置したり野積の状態で放置しているのが現状であり、このような観点から木材資源の有効利用の開発が急務になっている。
【発明の開示】
【発明が解決しようとする課題】
【０００５】
そこで、この発明の課題は、間伐材の有効利用が図れるだけでなく、壁構造の耐震強度を大幅に向上させることができ、しかも現場での壁構築を能率よく行うことができる壁用パネルを提供することにある。
【課題を解決するための手段】
【０００６】
上記のような課題を解決するため、この発明は、所定の長さに切断した多数の木製角材を順次重ね合わせると共に、各木製角材をボルトの締め付けで締結して矩形のパネル体を組み立て、両側に配置した柱材間に前記パネル体とその上下に横材を組み込み、前記パネル体と柱材及び横材の重なり面を、各重なり面に形成した溝に雇い実を差し込んで結合すると共に、両側の柱材を開き止めボルトで固定化することにより矩形のパネル本体を組み立て、両柱材の上下が、柱材間の上下に配置した土台及び桁材とボルト結合するようになっている構成を採用したものである。
【０００７】
ここで、パネル体用の木製角材は、芯持ち間伐材を使用し、例えば、７５ｍｍ角等の杉や檜の正角材であり、縦や横、斜めに重ねることにより、例えば、８３０ｍｍ角の正方形パネル体を形成するように長さと形状が設定され、この木製角材をボルトの締め付けで締結し、前記パネル体の周囲に溝を設け、パネル本体を組み上げるときに柱材及び横材の重なり面を溝に差し込んだ雇い実で結合する。
【０００８】
上記のような寸法条件の正角材は、小径木である間伐材から切り出すことができ、間伐材は、上端に行くに従い小径になっているが、上述した７５ｍｍ角の木製角材を用いる場合、間伐材の全長の略大半を利用することができることになる。
【０００９】
また、上記パネル体は、両側に配置した柱材間の上下に二枚又は三枚を組み込み、上下パネル体間及び上部パネル体の上部及び下部パネル体の下部にそれぞれ横材を配置し、両側の柱材を開き止めボルトで結合すると共に、柱材と柱材間の上下に配置した土台及び桁材をボルト結合することにより、パネルは柱材に固定化される。
【００１０】
上記柱材と柱材間の上下に配置した土台及び桁材の結合は、柱材の両端部中央と土台及び桁材にボルト孔を設け、このボルト孔に挿入したボルトを柱材の一面に設けた凹孔の部分でナットと螺合することにより行われる。
【発明の効果】
【００１１】
この発明によると、多数の木製角材を順次重ね合わせてボルトで結合することによりパネル体を形成し、両側に配置した柱材間に前記パネル体とその上下に横材を組み込み、パネル体と柱材及び横材の重なり面を、この重なり面に形成した溝に雇い実を差し込んで結合し、両側の柱材を開き止めボルトで結合してパネル本体を組み立てるようにしたので、パネル体の形成において、木製角材の断面径と長さを設定することにより、小径木である間伐材から切り出すことができ、しかも、間伐材の全長の略大半を利用することができることになり、間伐材の有効利用を図ることで資源の無駄を省くことができる。
【００１２】
また、パネル体を組み込んだ両側の柱材を開き止めボルトで結合すると共に、両柱材の上下が、柱材間の上下に配置した土台及び桁材とボルト結合するようになっているので、パネル体と柱材の一体化により、耐力性に優れた壁用パネルとなり、これを用いて壁を構築することにより、木造建築の耐震強度の向上を図ることができる。
【００１３】
更に、壁用パネル体は、寸法の規格化により、架設用住宅の壁材として利用でき、災害対策として備蓄することも可能になる。
【発明を実施するための最良の形態】
【００１４】
以下、この発明の実施の形態を図示例と共に説明する。
【００１５】
図示のように、壁用パネル１は、両側に配置した柱材２に、上下に複数枚のパネル体３と、上下パネル体３間と上部パネル体３の上部と下部パネル体３の下部に横材４を組み込み、両側の柱材２を開き止めボルト５で結合すると共に、両柱材２の上下が、柱材２間の上下に配置する土台６及び桁材７とボルトで結合することができるようになっている。
【００１６】
上記パネル体３の組み立てに用いる木製角材８は、杉や檜の正角材であり、芯持ち間伐材を使用し、この木製角材８を上下に積み重ね、両側の位置を図６のように、上下に貫通するボルト９で結合して正方形のパネル体３を形成し、前記パネル体３の四周縁面及びこのパネル体３に対する柱材２及び横材４の重なり面に、例えば、２０×２０ｍｍの溝１０を設け、柱材２と複数枚のパネル体３及び横材４を、この重なり面に形成した溝１０に雇い実１１を差し込んで結合することにより、上下に長い矩形のパネル本体１２を組み立てるようになっている。
【００１７】
このパネル体３は、図１や図４、図５の例の場合、木製角材８を水平にして正方形になるよう上下に積み重ね、その両面に縦配置となる杉板等の化粧板１３を並べて接着固定した構造になっているが、図６のように、パネル体３と化粧板１３の間に金属板１４を介在させ、パネル体３に耐火性の機能を付与するようにすることができる。
【００１８】
上記両柱材２とその間に組み込むパネル体３は、重なり面のそれぞれに設けた溝１０に雇い実１１を差し込むことにより結合するが、横材４の端部と両柱材２の結合も同様の構造を採用する。
【００１９】
図２は、上記柱材２とこの柱材２間の上下に配置した土台６及び桁材７の結合構造を示している。
【００２０】
柱材２と土台６の結合は、パネル本体１２の下部両側で横材４間の位置に、それぞれ接続金具１５を埋設し、この接続金具１５の先端に上端を結合したボルト１６で横材４と土台６を締結するようにしている。
【００２１】
このような結合を採用することにより、柱材２の直下の位置において土台６を支持する基礎１７が存在してもこれを逃がすことができる。
【００２２】
また、柱材２の上端と桁材７の結合は、図３のように、柱材２と桁材７にボルト孔１８を設け、このボルト孔１８に挿入したボルト１９は桁材７側に座金２０を介して頭部２１を位置させ、柱材２の側はその途中の外面に設けた凹孔２２の部分でボルト１９にナット２３を螺合することにより行われる。
【００２３】
また、両柱材２の結合は、図１と図３のように、横材４を配置した中央の位置において、両柱材２間に開き止めボルト５を挿通し、柱材２の外面に設けた凹孔２４の部分で両端に螺合したナット２５を座金２６を介して締め付けることによって行い、この開き止めボルト５は、横材４の重なり面に設けた凹溝内に収まることになる。
【００２４】
この開き止めボルト５は、図示のような通しボルトに限らず、横材４と柱材２を両側で別々に結合する構造を採用してもよい。
【００２５】
上記壁用パネル１の組み立ては、両側に配置した柱材２間に対して下部から順に、複数本の横材４と下部のパネル体３、二本の横材４、上部パネル体３、複数本の横材４を順次組み込み、中間部の位置において、両柱材２間に開き止めボルト５を挿通し、両端に螺合したナット２５を締め付けることによって、両柱材２間にパネル体３と横材４を固定化する。
【００２６】
このとき、両柱材２とその間に組み込むパネル体３及び横材４の端部は、重なり面のそれぞれに設けた溝１０に雇い実１１を差し込むことにより結合する。
【００２７】
この壁用パネル１を木造建築に組み込んで壁構造を構築するには、基礎上にアンカーボルト２７で固定した土台６とその上部の桁材７の間において、両側に位置する柱２８間に前記壁用パネル１を組み込み、柱２８と柱材２は重なり面のそれぞれに設けた溝に雇い実を差し込むことにより結合し、壁用パネル１の両柱材２と土台６及び桁材７は、図２で示したように、下部は接続金具１５とボルト１６を用い、上部はボルト１９を用いて締結する。
【００２８】
このようにして、隣接する柱２８間に壁用パネル１を組み込んで固定すれば、隣接する柱２８が壁用パネル１で結合されることになり、柱２８間に壁用パネル１が存在することで、壁構造が耐力壁となり、耐震性に優れた木造建築を構築することができる。
図８は、基礎１７上に立設した隅柱２８ａと壁用パネル１の結合構造を示し、隅柱２８ａと壁用パネル１の柱材２をボルト２９で締結するようになっている。
【００２９】
ここで、上記した壁用パネル１において、パネル体３用の木製角材８は、芯持ち間伐材を使用し、例えば、４５ｍｍ角、６０ｍｍ角、７５ｍｍ角、９０ｍｍ角、１０５ｍｍ角、１２０ｍｍ角の杉や檜の正角材であり、両面に張設する化粧板１３は板厚を１５ｍｍに設定することにより、パネル体３の仕上がり厚みは、７５ｍｍ、９０ｍｍ、１０５ｍｍ、１２０ｍｍ、２４０ｍｍ、２７０ｍｍの種類が得られ、例えば、７７０ｍｍ角、８００ｍｍ角、８３０ｍｍ角、８６０ｍｍ角の正方形のパネル体３を形成するようになっている。
【００３０】
また、柱材２は、その一辺が組み込み使用するパネル体３の板厚に一致する正角材を用い、パネル体３と柱材２は同一面に仕上がるようにしている。
【００３１】
上記のような寸法条件の正角材は、小径木である間伐材から切り出すことができ、間伐材は、上端に行くに従い小径になっているが、上述した７５ｍｍ角以下の木製角材を用いる場合、間伐材の全長の略大半を利用することができることになり、資材の有効利用が図れることになる。
【図面の簡単な説明】
【００３２】
【図１】壁用パネルの使用状態を示す一部切り欠き斜視図
【図２】壁用パネルの使用状態を示す一部切り欠き正面図
【図３】壁用パネルのボルトによる結合部分を拡大した一部切り欠き正面図
【図４】図２の矢印ａ−ａの拡大した横断平面図
【図５】パネル体の一部切り欠き斜視図
【図６】パネル体の拡大した縦断側面図
【図７】パネル体を構成する木製角材の分解斜視図
【図８】隅柱と壁用パネルの結合構造を示す横断平面図
【符号の説明】
【００３３】
１      壁用パネル
２      柱材
３      パネル体
４      横材
５      開き止めボルト
６      土台
７      桁材
８      木製角材
９      ボルト
１０    溝
１１    雇い実
１２    パネル本体
１３    化粧板
１４    金属板
１５    接続金具
１６    ボルト
１７    基礎
１８    ボルト孔
１９    ボルト
２０    座金
２１    頭部
２２    凹孔
２３    ナット
２４    凹孔
２５    ナット
２６    座金
２７    アンカーボルト
２８    柱
２９    ボルト
【図１】
2006057278.tif 000003
【図２】
2006057278.tif 000004
【図３】
2006057278.tif 000005
【図４】
2006057278.tif 000006
【図５】
2006057278.tif 000007
【図６】
2006057278.tif 000008
【図７】
2006057278.tif 000009
【図８】
2006057278.tif 000010